(57)【要約】【目的】容易に適切な記録条件（ビットレート設定）でデジタル放送番組を記録することが可能な高画質なデジタル放送記録装置を提供する。【解決手段】放送番組に含まれるオーディオのチャネル数を判別する判別器と、上記オーディオのチャネル数に基づいて、号化変換における目標ビットレートを算出する目標ビットレート算出器と、目標ビットレートに基づいて放送番組を符号化変換する符号化変換部と、を有する。【選択図】図１
2008227912.tif 000002
【特許請求の範囲】
【請求項１】
デジタル放送による放送番組を符号化変換により圧縮記録するデジタル放送記録装置であって、
前記放送番組に含まれるオーディオのチャネル数を判別する判別器と、
前記チャネル数に基づいて、前記符号化変換における目標ビットレートを算出する目標ビットレート算出器と、
前記目標ビットレートに基づいて前記放送番組を符号化変換する符号化変換部と、を有することを特徴とするデジタル放送記録装置。
【請求項２】
前記判別器は前記放送番組に含まれるオーディオのチャネル数に応じて前記放送番組の圧縮率を分類し、前記符号化変換部は当該圧縮率分類に基づいて前記放送番組を符号化変換することを特徴とする請求項１記載のデジタル放送記録装置。
【請求項３】
前記デジタル放送は、BSデジタル放送、地上波デジタル放送及び110度CSデジタル放送を含み、前記放送番組が前記デジタル放送のいずれであるかの放送種別を判別する放送種別判別部を有し、前記目標ビットレート算出器は当該判別された放送種別に応じて前記目標ビットレートを算出することを特徴とする請求項１記載のデジタル放送記録装置。
【請求項４】
前記符号化変換部は前記放送番組におけるデータ放送に関するデータを除いたデータについて符号化変換をなすことを特徴とする請求項１記載のデジタル放送記録装置。
【発明の詳細な説明】
【技術分野】
【０００１】
本発明は、デジタル放送記録装置、特に、長時間記録モードによりデジタル放送を記録するデジタル放送記録装置に関する。
【背景技術】
【０００２】
地上デジタル放送への移行やハイビジョン放送の進展に伴い、DVD／HDD（Digital Versatile Disc/Hard Disc Drive）レコーダ等のデジタル放送記録装置の普及が進んでいる（例えば、特許文献１参照）。
【０００３】
現在、デジタル放送はBSデジタル放送、地上波デジタル放送、CSデジタル放送などがあり、BSデジタルと地上波デジタルにおいては一部チャンネルを除いてほとんどがＨＤ解像度のハイビジョン放送である。また、CSデジタル放送でも一部のチャンネルでハイビジョン放送が行われている。
【０００４】
ハイビジョン放送においては、BSデジタル放送で約24Mbps、地上波デジタル放送で約17Mbpsという高い伝送レート（ビットレート）で送られてくるため、例えば、１時間番組を記録するのに、BSデジタル放送で約11GB、地上波デジタル放送で約8GBの容量が必要になる。
【０００５】
したがって、近年普及が進んでいるハイビジョン対応のDVD／HDDレコーダーなどのデジタル放送記録装置においてもハイビジョン放送の記録時間は意外と短い。例えば、400GB（Gigabyte）のHDDを搭載したデジタル放送記録装置の場合、BSデジタル放送で34時間、地上波デジタル放送で46時間である。250GBのHDDを搭載したデジタル放送記録装置の場合、BSデジタル放送で21時間、地上波デジタル放送で29時間である。
【０００６】
そこで、ハイビジョン放送をHD画質のままで記録時間を延ばすトランスコードやトランスレートと呼ばれる技術がある。トランスコードとはデジタル放送の符号化方式MPEG2をより圧縮効率のよい別の符号化方式に変換してビットレートを下げる方法であり、H.264の符号化方式に変換するものなどがある。トランスレートとは符号化方式MPEG2のままでデータ量を削減してビットレート下げる方法である。
【０００７】
デジタル放送では多くのチャンネルで連動データ放送と呼ばれる放送を行っている。これはニュースや天気予報など番組の内容とは独立したものや、ドラマのあらすじなど番組の内容に関連するものを提供するものである。
【０００８】
トランスコードやトランスレートの技術を用いてデジタル放送の長時間記録を実現しようとする場合、前述のデータ放送をそのまま残すとビデオに割当てられるビットレートが極端に低くなってしまい画質劣化が大きくなってしまう。
【０００９】
例えば、BSデジタル放送（ビットレート：24Mbps）のある番組のストリームを解析した結果によれば、この番組ではデータ放送が約37％を占めている。BSデジタル放送においてハイビジョン長時間2倍／3倍モードの記録を考えた場合、ビットレートはそれぞれ24/2＝12Mbps 、24/3＝8Mbpsにする必要がある。
【００１０】
上記した番組のようなストリームにおいて、データ放送をそのまま残し、ハイビジョン長時間2倍／3倍モードを実現しようとする場合について、ビデオに割当て可能なビットレートを計算するとそれぞれ4.2Mbps，0.2Mbpsとなり現実的でない。放送によってはこのような番組もあるため、デジタル放送の長時間記録においてはデータ放送を削除してその分ビデオにビットレートを割当てる方法が有効である。
【００１１】
地上デジタル放送のある番組においてオーディオの占める割合について例（番組Ａ及び番組Ｂ）を挙げて説明する。なお、これらのデータはパーシャルTS（TS：トランスポートストリーム）である。番組Aは、オーディオが１ストリーム（オーディオ1：2chステレオ 日本語）の放送である。番組Bは、オーディオが２ストリーム（オーディオ1：5.1chサラウンドステレオ 日本語，オーディオ2：2chステレオ 英語）の放送である。また、番組Aは字幕データなしであり、番組Bは字幕データありの放送である。
【００１２】
それぞれの番組の放送全体のシステムレートは約15Mbpsで、オーディオの占める割合は番組Aで1.4%、約0.20Mbps、番組Bで4.3%、約0.58Mbpsである。このように放送番組のオーディオの種類や数によってオーディオデータの占める割合が2倍以上違う場合がある。オーディオ、PAT／PMT／PCR／SITなどのPSI情報（番組特定情報：Program Specific Information）、字幕データを合わせたビデオとデータ放送以外のデータが占める割合は番組Aで1.8%、約0.27Mbps、番組Bで4.8%、約0.71Mbpsである。
【００１３】
地上波デジタル放送（ビットレート：17Mbps）においてハイビジョン長時間2倍／3倍モードの記録を考えた場合、ビットレートはそれぞれ17/2＝8.5Mbps 、17/3＝5.67Mbpsにする必要がある。例えば地上波デジタル放送のハイビジョン長時間3倍モードを想定すると、ビデオに使用できるビットレートは前述の番組Aで、5.67 Mbps−0.27 Mbps＝5.4 Mbpsであるが、番組Bでは5.67 Mbps−0.71 Mbps＝4.96 Mbpsと5Mbps以下になってしまう。
【００１４】
このような地上波デジタル放送のハイビジョンの記録（長時間３倍モード）においては、ビデオデータの目標ビットレートは、上記番組のうちビットレートの低い方、すなわち、番組Bについてのビットレート4.96Mbps（実際にはマージン分を含めるので4.96Mbpsより小さい値となる）となる。
【００１５】
当然、ビットレートが多い方が画質は良いが、番組Aのような放送については、ビデオのレートを低く抑えた分3倍モードの目標ビットレート5.67Mbpsよりも低くなる。すなわち、実際にはもう少しビデオにビットレートを割けるにもかかわらず必要以上にビットレートを抑えることになってしまう。
【００１６】
さらに、デジタル放送では上記した例以外にもオーディオの種類がいくつかあり、また、BSデジタル放送と地上波デジタル放送等で放送のビットレートが異なるなど、番組記録を行おうとするユーザーにとっては分かりにくく煩雑なものとなっている。従って、適切な記録条件（目標ビットレート）でそれぞれの番組を記録することは容易ではない。
【特許文献１】特開２００５−３５３１１２号公報
【発明の開示】
【発明が解決しようとする課題】
【００１７】
本発明は上記した点に鑑みてなされたものであって、その目的とするところは、上記したような長時間記録モードにおける課題を解決し、容易に適切な記録条件（ビットレート設定）でデジタル放送番組を記録することが可能な高画質なデジタル放送記録装置を提供することが一例として挙げられる。
【課題を解決するための手段】
【００１８】
本発明によるデジタル放送記録装置は、デジタル放送による放送番組を符号化変換により圧縮記録するデジタル放送記録装置であって、放送番組に含まれるオーディオのチャネル数を判別する判別器と、上記オーディオのチャネル数に基づいて、号化変換における目標ビットレートを算出する目標ビットレート算出器と、目標ビットレートに基づいて放送番組を符号化変換する符号化変換部と、を有することを特徴としている。
【発明を実施するための最良の形態】
【００１９】
以下、本発明の実施例を、図を参照しつつ説明する。
＜デジタル放送記録装置の構成＞
図１は、本発明の実施例であるデジタル放送記録装置１０の構成を模式的に示すブロック図である。デジタル放送記録装置１０は、ホスト部１１Ａ及びトランスコード部１１Ｂから構成されている。
【００２０】
ホスト部１１Ａは、デジタル放送のMPEG2-TS（TS：トランスポートストリーム）の受信・記録・再生の処理を行う。また、トランスコード部１１Ｂは、MPEG2-TSを長時間記録のために、より圧縮効率のよいH.264などの別の符号化方式に変換する。なお、トランスコード部１１Ｂの符号化変換部２３はH.264に限らず圧縮効率のよい他の符号化方式でも構わない。また、符号化方式はMPEG2のままでデータ量だけを削減する方法を用いることもできる。
【００２１】
すなわち、ホスト部１１Ａは、受信部１１と、ストリーム抽出部１２と、画像処理部１４と、格納部１６及び格納部１６のインタフェース部（Ｉ/Ｆ）１７、及びホスト部コントローラ１５と、から構成されている。
【００２２】
より詳細には、受信部１１は、アンテナANTを介して入力された受信信号を選局するチューナ、Ａ／Ｄ（アナログ／デジタル）変換器、復調回路、暗号解除処理を行うデスクランブラなどで構成されている。当該復調回路は、例えば、BS／CSデジタル放送についてはQPSK復調回路、地上波デジタル放送についてはOFDM復調回路が該当する。
【００２３】
ストリーム抽出部１２は、PIDフィルターによりビデオデータやオーディオデータを分離するTSデマルチプレクサなどで構成されている。
【００２４】
画像処理部１４は、MPEG2やH.264などの圧縮されたビデオをデコード処理するデコーダ、動画／静止画プレーンなどのグラフィック処理を行うグラフィックエンジンなどで構成されている。
【００２５】
格納部１６は、ストリームデータを記録する格納装置、例えばハードディスク（HDD）を有し、インタフェース部（Ｉ/Ｆ）１７はデータバスＢＬに接続されている。また、ストリーム抽出部１２及び画像処理部１４は、データバスＢＬに接続されている。
【００２６】
また、ホスト部コントローラ１５は、上記したホスト部１１Ａの各構成要素、すなわち、ホスト部全体をコントロールする。
【００２７】
一方、トランスコード部１１Ｂは、ＤＥＭＵＸ部２１、バッファ２２、符号化変換部２３、ＲＥＭＵＸ部２４及びトランスコード部コントローラ２５から構成されている。
【００２８】
より詳細には、ＤＥＭＵＸ部２１はビデオデータ及びオーディオデータの分離処理を行い、当該分離処理されたデータストリームはバッファ２２に一時的に格納される。
【００２９】
符号化変換部２３は、バッファ２２からの当該データストリームをより圧縮効率のよい符号化方式に変換する。そして、ＲＥＭＵＸ部２４が当該ビデオデータやオーディオデータをTSフォーマットに組み立て直す。
【００３０】
さらにオーディオデータ判別器２６が設けられ、オーディオストリームの種別、オーディオストリーム数、チャネル数についての判別が行われる。
【００３１】
トランスコード部コントローラ２５は、上記したトランスコード部１１Ｂの各構成要素、すなわち、トランスコード部全体をコントロールする。
【００３２】
なお、本実施例においては、ホスト部１１Ａ及びトランスコード部１１Ｂに個別にコントローラ（それぞれホスト部コントローラ１５、トランスコード部コントローラ２５）が設けられている場合について説明するがこれに限らない。すなわち、ホスト部１１Ａ及びトランスコード部１１Ｂを含む装置全体の制御を行う１つのコントローラとして構成されていてもよい。
【００３３】
次に、ハイビジョン長時間モード記録時の動作の概略について説明する。すなわち、アンテナANTを介して入力された信号は、受信部１１において受信、選局された後、復調処理等が行われ、ストリーム抽出部１２でパーシャル・トランスポートストリーム（以下、単に、パーシャルＴＳという。）としてトランスコード部１１Ｂへ出力される。
【００３４】
トランスコード部１１Ｂにおいて、ストリーム抽出部１２からのパーシャルＴＳは、ＤＥＭＵＸ部２１においてビデオデータが分離され、バッファ２２を経て符号化変換部２３においてトランスコードされる。変換されたビデオと他のオーディオやPAT、PMTなどのデータはＲＥＭＵＸ部２４においてパーシャルＴＳ化され、ホスト部１１Ａへ出力される。そして、パーシャルＴＳ化されたデータは、ホスト部コントローラ１５の制御の下、インタフェース部（Ｉ/Ｆ）１７を介して格納部１６に供給され、記録される。
＜目標ビットレートの分類＞
次に、ハイビジョン放送の長時間モード記録時における目標ビットレートの分類、設定について説明する。デジタル放送は、BSデジタル放送、地上波デジタル放送、110度CSデジタル放送の３つに分けられるがそれぞれ送信ビットレートが異なる。前述したようにBSデジタル放送は約24Mbps、地上波デジタル放送は約17Mbps、110度CSデジタル放送は約17Mbpsである。また、ハイビジョン放送の解像度はBSデジタル放送では1920×1080と1440×1080の混在（放送局により異なる）、地上波デジタル放送と110度CSデジタル放送は1440×1080である。1440×1080解像度のBSデジタル放送は1920×1080解像度のBSデジタル放送と同程度のビットレートで放送されているので、解像度によってビットレートが異なるのではなく、放送の種類によってビットレートは分類できる。
【００３５】
データ放送に関しては、番組によってデータ放送が含まれているものと含まれていないものとがあり、前述のように、データ放送が占める割合が３０％を越えるような番組もある。オーディオデータのデータ量はオーディオチャネルの種類と数により異なる。例えば、モノラル、2chステレオ、デュアルモノラル（主音声＋副音声）、5.1chサラウンドがあり、オーディオストリーム数とオーディオチャネル数が多いほどデータ量が増える。字幕放送は番組によって放送があるものとないものがあり、番組全体に占める字幕放送データの割合は小さく0.01〜0.02％程度である。PAT，PMT，PCR，SITなどのPSI情報はどの番組にも必ず必要であるが、番組全体に占める割合はBSデジタル放送で0.3〜0.4％程度、地上波デジタル放送で0.4〜0.5％程度である。
【００３６】
図２及び図３は、それぞれ地上波／110度デジタル放送（図２）及びBSデジタル放送（図３）のビットレートについて解析、分類した結果を表している。なお、代表例のみについて示している。また、地上波デジタル放送と110度デジタル放送はシステムレートがほぼ同じであるので、BSデジタル放送と地上波／110度デジタル放送の２つに分けて分類している。
【００３７】
図２及び図３において、「システムレート」は放送波全体のシステムレートを、「ビデオ」はビデオデータのビットレートを、「データ」はデータ放送のビットレートを、「オーディオ」はオーディオデータと字幕データとPAT／PMT／PCR／SITなどのPSI情報の合計ビットレート（以下、オーディオ総合ビットレート(TBR)という。）を示している。また、「オーディオタイプ」はオーディオの種別を示し、「1ch」はモノラル、「2ch」はステレオ、「(1+1)ch」はデュアルモノラル、「5.1ch」は5.1chサラウンド、「2ch+2ch」はステレオが２ストリーム、「5.1ch+2ch」はステレオと5.1chサラウンドのオーディオが１ストリームずつ、「3/1ch」は3/1chサラウンド放送を示している。
【００３８】
ここで、オーディオの全チャネル数（図中、「全ｃｈ(TCH)」）に基づいて、オーディオの全データ量を分類する。
【００３９】
なお、図中、オーディオの全チャネル数は、オーディオストリーム数及び各オーディオストリームのオーディオチャネル数から以下のように算出している。
【００４０】
モノラル：1ch＝1
ステレオ：2ch＝2
デュアルモノラル：(1+1)ch＝2
5.1chサラウンド：5.1ch＝6
ステレオが２ストリーム：2ch+2ch＝4
ステレオと5.1chサラウンドのオーディオが１ストリームずつ：5.1ch+2ch＝8
3/1chサラウンド放送：3/1ch＝4
このように、本実施例においては、オーディオデータの種別（1ch，2ch，5.1ch，3/1ch，等）やオーディオストリームの種別（１ストリーム，(1+1)ch，2ch+2ch，等）にかかわらず、オーディオの全データ量をオーディオチャネル数から算出（上記）しているので、処理の負荷は軽く、高速に処理することができる。
【００４１】
図２（地上波／110度デジタル放送）を参照すると、モノラル、ステレオ、デュアルモノラル等のオーディオの全チャネル数（TCH）が２以下の場合は、オーディオ総合ビットレートが0.13Mbps〜0.32Mbpsの範囲であり、0.32Mbps以下と分類できる。また、ステレオが２ストリームの番組や5.1chサラウンド、3/1chサラウンドのようなオーディオの全チャネル数（TCH）が３以上かつ６以下のものはオーディオ総合ビットレートが0.34Mbps〜0.50Mbpsの範囲であり、0.50Mbps以下と分類できる。ステレオと5.1chサラウンドのオーディオが１ストリームずつの番組ではオーディオ総合ビットレートは0.71Mbpsである。
【００４２】
従って、オーディオの全チャネル数（TCH）に基づいて、オーディオのビットレートを以下のように分類する。すなわち、オーディオの全チャネル数（TCH）が２以下の場合、３以上かつ６以下、７以上の場合をそれぞれモードＭ１、モードＭ２、モードＭ３と分類する。そして、番組中のオーディオのビットレートに対応する当該モードＭ１、Ｍ２、Ｍ３に応じて、ビデオの記録時の目標ビットレートを設定すればより適切なビットレート配分ができるため画質向上が望める。
【００４３】
同様に、図３（BSデジタル放送）を参照すると、オーディオの全チャネル数（TCH）が２以下の場合は、オーディオ総合ビットレートが0.27Mbps〜0.29Mbpsの範囲であり、0.32Mbps以下と分類できる。また、オーディオの全チャネル数（TCH）が３以上かつ６以下のものはオーディオ総合ビットレートが0.41Mbps〜0.50Mbpsの範囲であり、0.50Mbps以下と分類できる。
【００４４】
従って、オーディオの全チャネル数（TCH）に基づいて、オーディオのビットレートを以下のように分類する。すなわち、オーディオの全チャネル数（TCH）が２以下の場合、３以上かつ６以下、７以上の場合をそれぞれモードＮ１、モードＮ２、モードＮ３とする。そして、番組中のオーディオのビットレートに対応する当該モードＮ１、Ｎ２、Ｎ３に応じて、ビデオの記録時の目標ビットレートを設定すればより適切なビットレート配分ができるため画質向上が望める。
【００４５】
なお、より詳細に分類し、目標ビットレート設定（Ｍ，Ｎの数）を適宜増やすことも可能である。なお、目標ビットレート設定を増やすと、ソフトウエア処理により実行する場合、ソフトウエア処理の負荷が増大する場合がある。
＜目標ビットレートの設定（長時間２倍モード）＞
次に、ハイビジョン放送の長時間２倍モードでの記録実行時を例に、目標ビットレートの設定について説明する。
【００４６】
なお、目標ビットレート設定は、トランスコード部コントローラ２５の制御により、記録開始前のトランスコード部１１Ｂの初期設定にてパラメーター設定される。例えば、以下に説明する目標ビットレートがトランスコード部コントローラ２５の制御により設定される。そして、当該目標ビットレートに応じて、符号化変換部２３がデータストリームのトランスコード処理を行う。
【００４７】
より詳細には、目標ビットレート設定のために、記録開始前に、トランスコード部コントローラ２５によって、BSデジタル放送、地上波デジタル放送、110度CSデジタル放送の識別が行われ、トランスコード部コントローラ２５の制御の下、オーディオデータ判別器２６によって、オーディオストリームの種別判定およびオーディオストリーム、チャネルの数量把握が行われる。なお、オーディオデータ判別器２６において必要とされる放送番組情報はトランスコード部コントローラ２５からオーディオデータ判別器２６に供給される。
【００４８】
より具体的には、ＰＳＩ情報のSITの1stループに挿入されるネットワーク識別記述子のnetwork-idの値によってBSデジタル放送、地上波デジタル放送、110度CSデジタル放送の識別が行われる。また、SITの2ndループに挿入される音声コンポーネント記述子のcomponent-typeの値によってオーディオストリームの種別判定が行われる。また、PATとPMTを解析することによってオーディオストリーム、チャネルの数量把握が行われる。
【００４９】
次に、目標ビットレート設定について、図４のフローチャートを参照しつつ説明する。
【００５０】
まず、記録すべき番組が地上波／110度デジタル放送の番組か否かが判別される（ステップＳ１１）。記録すべき番組が地上波／110度デジタル放送（送信ビットレート又は信号ビットレートが17 Mbps）の番組であると判別された場合には、２倍記録モードであるので8.5Mbps（＝17/2）が基準となるビットレート（基準ビットレート：基準BR）に設定される（ステップＳ１２）。
【００５１】
次に、その番組のオーディオの全チャネル数（TCH）に基づいて、オーディオデータ量のモードが判別される。すなわち、全チャネル数（TCH）がモードＭ１に該当するか否かが判別される（ステップＳ１３）。具体的には、オーディオの全チャネル数（TCH）が２以下であるか否かが判別される。なお、オーディオの全チャネル数（TCH）は、SITパケット等を参照することによりオーディオの種別、ストリーム数が判別され、これから全チャネル数（TCH）が判別される。
【００５２】
全チャネル数（TCH）が２以下（モードＭ１）であると判別された場合、すなわち、オーディオ種別がモノラル、ステレオ、デュアルモノラル等の場合、8.5−0.32−0.01＝8.17Mbpsがビデオの目標ビットレートとして設定される（ステップＳ１４）。ここで、0.32 Mbpsは、上記したように、実測値から求めた数値（モードＭ１の最大値、図２参照）であり0.01 Mbpsは実測値の誤差を考慮したマージン分である。
【００５３】
なお、デジタル放送記録時の管理情報についてはここでは省略しているが、必要があればマージン分に上乗せするようにしてもよい。
【００５４】
ステップＳ１３において、全チャネル数（TCH）が２以下（モードＭ１）ではないと判別された場合には、モードＭ２であるか否かが判別される（ステップＳ１５）。すなわち、オーディオの全チャネル数（TCH）が３以上かつ６以下であるか否かが判別される。
【００５５】
全チャネル数（TCH）が３以上かつ６以下であると判別された場合、すなわち、オーディオ種別が２ストリームある番組や5.1chサラウンド、3/1chサラウンド等の場合には、8.5−0.50−0.01＝7.99Mbpsがビデオの目標ビットレートとして設定される（ステップＳ１６）。
【００５６】
ステップＳ１５において、全チャネル数（TCH）が３以上かつ６以下（モードＭ２）ではないと判別された場合は、モードＭ３に該当する場合である。すなわち、全チャネル数（TCH）が７以上の場合であり、すなわちステレオと5.1chサラウンドのオーディオが１ストリームずつの番組等の場合、8.5−0.71−0.01＝7.78Mbpsがビデオの目標ビットレートとして設定される（ステップＳ１７）。
【００５７】
一方、ステップＳ１１において、地上波／110度デジタル放送の番組ではない、すなわち、記録すべき番組がＢＳデジタル放送（送信ビットレートが24 Mbps）の番組であると判別された場合には、２倍記録モードであるので12Mbps（＝24 /2）が基準ビットレートに設定される（ステップＳ１８）。
【００５８】
次に、その番組のオーディオの全チャネル数（TCH）に基づいて、モードＮ１であるか否かが判別される（ステップＳ１９）。すなわち、オーディオの全チャネル数（TCH）が２以下であるか否かが判別される。
【００５９】
全チャネル数（TCH）が２以下（モードＮ１）であると判別された場合には、12−0.29−0.01＝11.70Mbpsがビデオの目標ビットレートとして設定される（ステップＳ２０）。ここで、0.29 Mbpsは、上記したように、実測値から求めた数値（図３参照）であり0.01 Mbpsは実測値の誤差を考慮したマージン分である。
【００６０】
ステップＳ１９において、全チャネル数（TCH）が２以下（モードＮ１）ではないと判別された場合には、モードＮ２であるか否かが判別される（ステップＳ２１）。すなわち、オーディオの全チャネル数（TCH）が３以上かつ６以下であるか否かが判別される。
【００６１】
全チャネル数（TCH）が３以上かつ６以下であると判別された場合には、12−0.50−0.01＝11.49Mbpsがビデオの目標ビットレートとして設定される（ステップＳ２２）。
【００６２】
ステップＳ２１において、全チャネル数（TCH）が３以上かつ６以下（モードＮ２）ではないと判別された場合は、モードＮ３に該当する場合である。すなわち、全チャネル数（TCH）が７以上の場合である。この場合、12−0.71−0.01＝11.28Mbpsがビデオの目標ビットレートとして設定される（ステップＳ２３）。なお、BSデジタル放送においてステレオが２ストリームある番組やステレオと5.1chサラウンドのオーディオが１ストリームずつの番組は現時点で確認できないが、仮に放送があった場合は地上波デジタルでの放送と大差はないと推定される。従って、ここでは地上波デジタル放送での実測値を代用している。
【００６３】
なお、上記した実施例において示したオーディオ総合ビットレート、モードＭ１−Ｍ３，Ｎ１−Ｎ３等の圧縮率分類、目標ビットレート等に関する数値は例に過ぎない。要するに、デジタル放送の番組に含まれるオーディオデータのビットレート（例えば、オーディオの全チャネル数（TCH））に応じて、長時間記録（２倍、３倍モード等）時におけるビデオの目標ビットレートを定めるようにすればよい。すなわち、オーディオデータが少ない場合には、より多くのビットレートをビデオに割り当ててトランスコードするようにしている。しかも、装置が上記目標ビットレート設定（図４）を自動で行うため、ユーザは、煩雑な番組ごとの放送ビットレートなどを気にする必要がなく、極めて容易に最適な記録条件（目標ビットレート）で高画質記録を行うことができる。
＜目標ビットレートの設定（長時間３倍モード）＞
ハイビジョン長時間３倍モードによる記録の場合についても上記した２倍モードによる記録の場合と同様に実行することができる。より具体的には、BSデジタル放送については、24/3＝8Mbpsが上記した基準ビットレート（目標システムレート）、地上波／110度CSデジタル放送については、17/3＝5.67Mbpsが基準ビットレート（目標システムレート）となる。なお、以下の説明においては図を省略するが、図４のフローチャートに示した手順とはビットレート等の数値が異なる点を除いては、長時間２倍モードによる記録の場合（図４）と同様に実行することができる。
【００６４】
すなわち、BSデジタル放送においては、オーディオの全チャネル数（TCH）が２以下の場合（図４、モードＮ１に対応）、すなわちモノラル、ステレオ、デュアルモノラル等の場合では、8−0.29−0.01＝7.70Mbpsがビデオの目標ビットレートとなる。また、全チャネル数（TCH）が３以上かつ６以下の場合（モードＮ２に対応）、すなわちステレオのオーディオストリーム数が２本の番組や5.1chサラウンド、3/1chサラウンド等の場合では、8−0.51−0.01＝7.49Mbpsがビデオの目標ビットレートとなる。また、全チャネル数（TCH）が７以上の場合（モードＮ３に対応）、すなわちステレオと5.1chサラウンドのオーディオストリーム数が１本ずつの番組等の場合では、8−0.71−0.01＝7.28Mbpsがビデオの目標ビットレートとなる。
【００６５】
一方、地上波／110度CSデジタル放送においては、オーディオの全チャネル数（TCH）が２以下の場合では（モードＭ１に対応）、5.67−0.33−0.01＝5.34Mbpsがビデオの目標ビットレートとなる。また、全チャネル数（TCH）が３以上かつ６以下の場合では（モードＭ２に対応）、5.67−0.51−0.01＝5.16Mbpsがビデオの目標ビットレートとなる。また、全チャネル数（TCH）が７以上の場合では、5.67−0.71−0.01＝4.95Mbpsがビデオの目標ビットレートとなる。
【００６６】
なお、オーディオ全チャネル数（TCH）が７以上の場合は（モードＭ３に対応）、現時点では5.1ch＋2chの合計８を想定しているが、今後、5.1ch＋5.1chのような合計１２の放送がなされることがあった場合は全チャネル数（TCH）が７以上の際のビットレート設定はさらに小さい値に設定する必要がある。
【００６７】
従って、長時間記録（３倍モード）時等においても、２倍モード記録時と同様に、オーディオデータが少ない場合には、より多くのビットレートをビデオに割り当てることができるため、高画質で記録を行うことができる。また、ユーザが煩雑な番組ごとの放送ビットレートなどを気にする必要がなく、極めて容易に最適な記録条件（目標ビットレート）で高画質記録を行うことができる。
＜目標ビットレートの設定（SD長時間モード）＞
上記実施例においては、ハイビジョン放送（HD解像度）のみ説明したが、SD解像度であっても同様の方法で目標ビットレートを決定することによって、より適切なビットレートを選択し画質向上を図ることができる。
【００６８】
図５は、SD解像度のデジタル放送を記録する場合における目標ビットレート設定のフローチャートを示す。
【００６９】
SD解像度のデジタル放送はBSデジタル放送と地上波デジタル放送の一部のチャンネルおよび110度CSデジタル放送の大部分のチャンネルで放送が行われている。それぞれの放送におけるストリームを解析してみると、BSデジタル放送、地上波デジタル放送、110度CSデジタル放送の違いによる特徴はみられない。ハイビジョン放送の場合と同様にオーディオチャネル数およびストリーム数が多いほどオーディオデータがストリーム全体に占める割合が多くなるという特徴を持っている。
【００７０】
まず、長時間２倍モードで記録するか３倍モードで記録するかが判別される（ステップＳ３１）。２倍記録モードである場合には、送信ビットレートが8Mbpsであるので、4 Mbps（＝8/2）が基準ビットレートに設定される（ステップＳ３２）。
【００７１】
次に、その番組のオーディオの全チャネル数（TCH）が２以下であるか否かが判別される（ステップＳ３３）。全チャネル数（TCH）が２以下であると判別された場合には、4.0−0.34−0.01＝3.65Mbpsがビデオの目標ビットレートとして設定される（ステップＳ３４）。ここで、0.34 Mbpsは、図２に示した場合と同様に、実測値から求めた数値であり0.01 Mbpsは実測値の誤差を考慮したマージン分である。
【００７２】
ステップＳ３３において、全チャネル数（TCH）が２以下ではないと判別された場合には、オーディオの全チャネル数（TCH）が３以上かつ６以下であるか否かが判別される（ステップＳ３５）。全チャネル数（TCH）が３以上かつ６以下であると判別された場合には、4.0−0.42−0.01＝3.57Mbpsがビデオの目標ビットレートとして設定される（ステップＳ３６）。
【００７３】
ステップＳ３５において、全チャネル数（TCH）が３以上かつ６以下ではないと判別された場合には、すなわち、全チャネル数（TCH）が７以上の場合には、3.28Mbpsがビデオの目標ビットレートとして設定される（ステップＳ３７）。なお、もともとSD解像度のデジタル放送は放送のレートが8Mbpsと低いのでオーディオの全チャネル数（TCH）が７以上となるような放送は今後もないと考えられるが、本実施例においては全チャネル数（TCH）が７以上となる場合も考慮し、上記した実施例の値を参考にし、4.0−0.71−0.01＝3.28Mbpsを暫定的に目標ビットレートとした。
【００７４】
一方、ステップＳ３１において、３倍記録モードであると判別された場合には、2.67 Mbps（＝8/3）が基準ビットレートに設定される（ステップＳ３８）。
【００７５】
次に、その番組のオーディオの全チャネル数（TCH）が２以下であるか否かが判別される（ステップＳ３９）。全チャネル数（TCH）が２以下であると判別された場合には、2.67−0.34−0.01＝2.32Mbpsがビデオの目標ビットレートとして設定される（ステップＳ４０）。
【００７６】
ステップＳ３９において、全チャネル数（TCH）が２以下ではないと判別された場合には、全チャネル数（TCH）が３以上かつ６以下であるか否かが判別される（ステップＳ４１）。全チャネル数（TCH）が３以上かつ６以下であると判別された場合には、2.67−0.42−0.01＝2.24Mbpsがビデオの目標ビットレートとして設定される（ステップＳ４２）。
【００７７】
ステップＳ４１において、全チャネル数（TCH）が３以上かつ６以下ではないと判別された場合、すなわち、全チャネル数（TCH）が７以上の場合、2.67−0.71−0.01＝1.95Mbpsを暫定的に目標ビットレートとした。
【００７８】
このように、SD解像度のデジタル放送の記録時においても、HD解像度のデジタル放送の記録時と同様に、より多くのビットレートをビデオに割り当てることができ、また、極めて容易に最適な記録条件（目標ビットレート）で高画質記録を行うことができる。
【００７９】
以上詳細に説明したように、上記した構成により、デジタル放送の種別、番組のオーディオデータ量に応じて適切な記録条件（目標ビットレート）が設定されるため、容易に高画質でデジタル放送番組を記録することが可能なデジタル放送記録装置を提供することができる。
【００８０】
上記した実施例は適宜組み合わせて適用することができる。また、上記した実施例において示した数値等は例示に過ぎない。
【図面の簡単な説明】
【００８１】
【図１】実施例であるデジタル放送記録装置の構成を模式的に示すブロック図である。
【図２】地上波／110度デジタル放送のビットレートについて解析、分類した結果を示す図である。
【図３】BSデジタル放送のビットレートについて解析、分類した結果を示す図である。
【図４】目標ビットレートの設定について、その手順を示すフローチャートである。
【図５】SD解像度のデジタル放送の記録の場合における目標ビットレート設定のフローチャートである。
【符号の説明】
【００８２】
１０  デジタル放送記録装置
１１Ａ  ホスト部
１１Ｂ  トランスコード部
１１  受信部
１２  ストリーム抽出部
１６  格納部
２１  ＤＥＭＵＸ部
２２  バッファ
２３  符号化変換部
２４  ＲＥＭＵＸ部
２５  トランスコード部コントローラ
２６  オーディオデータ判別器
【図１】
2008227912.tif 000003
【図２】
2008227912.tif 000004
【図３】
2008227912.tif 000005
【図４】
2008227912.tif 000006
【図５】
2008227912.tif 000007